(57)【特許請求の範囲】
【請求項１】
持ち手と注ぎ口を設けた容器本体と、容器本体と係合し蓋をする蓋部からなるピッチャーであって、
容器本体は、上部から下部に向かって外周の直径が減少し、その途中に段差を有する円筒形で、外周面の下方に窪みが設けられ、さらに底が広がった形状となっており、前記容器本体の形状によって、同じ向きで上下にピッチャーを積み重ねた時に、下側のピッチャーの内側面と上側のピッチャーの外側面が密着するのを防止し、
上記持ち手は、容器本体の上部から水平方向から下方へと略Ｌ字状に延在し、水平方向に延在する部分の断面は内側が略Ｕ字状で、外側の両側面の部分が垂直な形状であり、下方へと延在する部分の断面は内側と外側が共に略Ｕ字状であり、水平方向に延在する部分の側面の厚みは、下方へと延在する部分の側面よりも厚いことを特徴とするピッチャー。
【発明の詳細な説明】
【技術分野】
【０００１】
本発明は、ビール等の飲料水を収容しジョッキ等に注ぐピッチャーに関する。
【背景技術】
【０００２】
ビール等の飲料水を大量に収容し、必要に応じてジョッキやコップ等に飲料水を注ぐ容器として、ピッチャーが飲食店等では幅広く使用されている。ピッチャーは一般的に、持ち手と注ぎ口が設けられ飲料水を収納する本体部から構成され、必要に応じて蓋が設けられている（特許文献１参照）。
【先行技術文献】
【特許文献】
【０００３】
【特許文献１】特開２００３−１４４２８９号公報
【発明の概要】
【発明が解決しようとする課題】
【０００４】
ピッチャーは、数人分の飲料水を収容するために所定の容量が必要なので、容積が大きくなっており、収納する際にそのまま並べておくと嵩張るために広い場所が必要となるという問題があった。これを解消するために、特許文献１では、ピッチャーの上に上下逆さまにしたピッチャーを重ねることができるピッチャーが記載されている。
【０００５】
しかしながら、ピッチャーを上下逆さまにして重ねてもかなりのスペースが必要であり、また、これ以外の重ねることができる従来のピッチャーは、そのまま重ねるにしても持ち手があるためにコップ等のようにコンパクトに重ねることができないという問題あり、重ねることができたとしても、ピッチャーを重ねた時に互いに密着して乾燥できない場所が生じ、水滴が溜まって不衛生であるという問題があった。
【０００６】
そこで、本発明は従来の問題を解決するために、重ねることでコンパクトに収納することができ、さらに重ねた状態でも空気の通り道を確保することで全体を自然乾燥させることができるピッチャーを提供することを目的とする。
【課題を解決するための手段】
【０００７】
本発明のピッチャーは、持ち手と注ぎ口を設けた容器本体と、容器本体と係合し蓋をする蓋部からなるピッチャーであって、容器本体は、上部から下部に向かって外周の直径が減少し、その途中に段差を有する円筒形で、外周面の下方に窪みが設けられ、さらに底が広がった形状となっており、上記持ち手は、上方が解放された略Ｕ字状の断面を有し、容器本体の上部から水平方向から下方へと略Ｌ字状に延在することを特徴とする。
【発明の効果】
【０００８】
本発明のピッチャーは、持ち手と、持ち手と注ぎ口を設けた容器本体と、容器本体と係合し蓋をする蓋部からなるピッチャーであって、容器本体は、上部から下部に向かって外周の直径が減少し、その途中に段差を有する円筒形で、外周面の下方に窪みが設けられ、さらに底が広がった形状となっており、上記持ち手は、上方が解放された略Ｕ字状の断面を有し、容器本体の上部から水平方向から下方へと略Ｌ字状に延在することにより、複数のピッチャーをコンパクトに積み重ねることが可能となり、ピッチャーの収納スペースを大幅に削減することができ、また、重ねた時に完全に密着することなく隙間を生じさせることができるので全体を自然乾燥させることが可能となる。
【図面の簡単な説明】
【０００９】
【図１】本発明のピッチャーの斜視図である。
【図２】本発明のピッチャーの側面図である。
【図３】本発明のピッチャーの断面図である。
【図４】ピッチャーを２段重ねた状態を示す概略断面図である。
【図５】図３のＡ−Ａ断面図であり、持ち手の断面図である。
【図６】（ａ）が蓋部の平面図であり、（ｂ）が蓋部の底面図である。
【図７】ピッチャーを傾けて、飲料水を注いでいる状態を示す断面図である。
【図８】ピッチャーを傾けて、飲料水を注いでいる状態を示す断面図である。
【図９】蓋部と容器本体との係合状態を示す断面図である。
【図１０】蓋部のリブと容器本体が密着している状態を示す断面図である。
【発明を実施するための形態】
【００１０】
本発明を、図を用いて以下に詳細に説明する。図１が本発明のピッチャー１の斜視図であり、図２が本発明のピッチャー１の側面図である。
【００１１】
本発明のピッチャー１は、図１に示すように、持ち手３と、注ぎ口４を設けた容器本体２と、容器本体２と係合し蓋をする蓋部５からなる。容量としては、ビール等の飲料水を入れることを想定し、１．８Ｌ程度とする。飲料水の種類は限定するものではない。また、材質も樹脂を用いて形成することを想定しているが、これに限定するものではなく、ガラス等の他の材質を用いることも可能である。
【００１２】
容器本体２は、図２、３に示すように、上部から下部に向かって外周の直径が減少していく円筒形で、その途中に段差が設けられている。容器本体２の下端は窪みを設けた後、底が広がった形状となっている。容器本体２の上部には持ち手３と注ぎ口４が設けられており、持ち手３と注ぎ口４は対向する位置に配置されている。そして、凹部６が容器本体２の外側面に２か所設けられている。
【００１３】
上述のように下部に向けて外周の直径を減少させているのは、ピッチャー１を積み重ねる際に、図４に示すように、下側のピッチャー１の容器本体２の内部に、上側のピッチャー１’の容器本体２’を入れるためである。また、積み重ねた際に、下側のピッチャー１の内側面と上側のピッチャー１’の外側面が密着して、取り外す時に余分な力が必要となるのを防ぐために、上述のように、容器本体２、２’の下方に窪みを設けており、この窪みによって互いに密着するのを防いでいる。
【００１４】
前記持ち手３は、容器本体２の上部から外側に向かって水平方向から下方へと略Ｌ字状に延在しており、端部は曲線で形成されている。前記持ち手３の断面は、図５に示すように、上方が解放された略Ｕ字状の断面となっており、表面にＵ字状の窪みが設けられた状態であり、窪みは持ち手を握った時に親指が丁度収まる形状となっている。また、容器本体２と接続された所から水平方向に延在する範囲は、図５に示すように側面の厚みを厚くすることで強度を確保しており、下方へと延在する部分はそれほど強度が必要とされないので、側面の厚みを薄くしている。
【００１５】
このような断面形状とするのは、図４に示すように、ピッチャー１を積み重ねた際に、持ち手３、３’同士が接触するのを防ぐためであり、Ｕ字状断面とすることで、下側となるピッチー１の持ち手３に設けられた窪みに、上に重ねたピッチャー１’の持ち手３’の一部が収まるようになる。そして、上述のようなＵ字状断面とすることで、容器本体２に入れた飲料水を注ぐ際に力の加わる持ち手３に所定の強度を確保することができる。
【００１６】
前記蓋部５は容器本体２の上部の注ぎ口４が設けられている側の略半分を、注ぎ口４の上方を残して塞ぐ大きさであり、図６に示すように、容器本体２を塞ぐ蓋面７と容器本体２の上部の側面の一部を覆う２つの側面８から構成されている。前記蓋面７にはスリット９が設けられ、蓋面７の裏面には容器本体２の上部の内面と接するリブ１０が設けられ、前記側面８の内面には容器本体２の外側面に２か所設けられた凹部６に嵌る凸部１１が設けられ、前記側面８の外面には蓋部５を容器本体２から取り外す際に使用する突起１２が設けられている。
【００１７】
図９に示すように、蓋部５に設けた凸部１１が、容器本体２に設けた凹部６に嵌ることで、蓋部５は容器本体２と係合している。蓋５を取り外しやすくするために、前記凸部１１の断面は半円形状としており、蓋部５を取り外す際には、突起１２に指を掛けると簡単に取り外すことができる。
【００１８】
前記リブ１０は、注ぎ口４側から容器本体２の上部内側面に沿う形で形成されており、前記スリット９の横側まで延びている。前記リブ１０は、図７に示すように、容器本体２に入れた飲料水を注ぐために容器本体２を傾けた時に、前記蓋部５と前記容器本体２が注ぎ口４の周囲で接している所から、飲料水が漏れてくるのを防ぐために設けている。
【００１９】
蓋部５で蓋をすると、図１０に示すように、リブ１０は容器本体２の上端部と接触した状態となり、飲料水が漏れる隙間が塞がれている。従来であれば、このような蓋の部分にゴムパッキン等を設ければ漏れを防ぐことができるが、そのためには余分なコストが掛っており、このようなリブ１０を設けることで簡単に漏れを防止することができる。
【００２０】
また、前記スリット９を設けることで、容器本体２に入れた飲料水を注ぐ際に、ピッチャー１の傾きを所定の角度で停止させる効果をもたらす。これは、前記リブ１０の働きとも関係しており、図８に示すように、ある角度までピッチャーを傾けると、前記スリット９から容器本体２に入っていた飲料水が溢れ出てくる。しかし、図７に示すように、前記スリット９から飲料水が溢れ出ない範囲で、ピッチャー１を傾けていると、前記蓋部５と容器本体２が接触している部分から飲料水が漏れるのを前記リブ１０が防いでくれる。
【００２１】
このように、前記スリット９から飲料水が溢れ出ることを目安とすることで、前記蓋部５と容器本体２が接触している部分から飲料水が漏れることなく、飲料水を注ぐことができる。さらに、図３に示すように、前記蓋面７の裏面は、前記リブ１０の注ぎ口側４の方に向かって傾斜面が形成されている。これは、飲料水を注ぐ際に、蓋面７の裏面を流れる飲料水がスムーズに流れる効果を有している。
【００２２】
本発明のピッチャー１は、収納する際には蓋部５を本体容器２から取り外し、上述のように複数ピッチャー１を重ねて収納する。蓋部５を取り外す際には、蓋部５設けた突起１２に指を掛けると簡単に取り外すことができる。
【００２３】
蓋部５を取り外したら、図４に示すように、容器本体２’を注ぎ口４，４’同士、持ち手３，３’同士が上下に重なるように、容器本体２の中に入れて重ねる。この時、持ち手３，３’は上述のようにＵ字状断面をなしていることから、互いに衝突することなく、重ねることができる。
【００２４】
また、上述のように、容器本体２の外側面の下部には窪みを設けることで、下側の容器本体２の内面と上側の容器本体２’の外面が密着することを防止することができる。これにより、積み重ねた状態では従来よりもコンパクトになり、同じスペースでもよりたくさんのピッチャーを収納することができるだけでなく、重ねた時にピッチャー同士が完全に密着することなく隙間を生じさせることができるので全体を自然乾燥させることが可能となる。なお、図４ではピッチャーを２段に重ねているが、重ねる段数はピッチャー１が倒れない範囲でさらに増やすことができる。
【００２５】
このように、本発明のピッチャーは、蓋部を取り外すだけで簡単に積み重ねることができるだけでなく、よりコンパクトに収納することができ、重ねた状態でも全体を自然乾燥させることができる。
【符号の説明】
【００２６】
１，１’  ピッチャー
２，２’  容器本体
３，３’  持ち手
４，４’  注ぎ口
５        蓋部
６        凹部
７        蓋面
８        側面
９        スリット
１０      リブ
１１      凸部
１２      突起
【図１】
0005464576.tif 000002
【図２】
0005464576.tif 000003
【図３】
0005464576.tif 000004
【図４】
0005464576.tif 000005
【図５】
0005464576.tif 000006
【図６】
0005464576.tif 000007
【図７】
0005464576.tif 000008
【図８】
0005464576.tif 000009
【図９】
0005464576.tif 000010
【図１０】
0005464576.tif 000011